【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】
ピット列又はマーク列により所望のデータが記録されてなる光ディスクに追加のデータを記録する光ディスク装置であって、
前記光ディスクに照射した再生用レーザービームの戻り光を受光して、前記戻り光の受光結果を出力する戻り光受光手段と、
前記戻り光の受光結果より、前記光ディスクに照射する記録用レーザービームがピット又はマークのエッジを横切るタイミングを検出するエッジ検出手段と、
前記追加のデータを変調して記録信号を生成する変調手段と、
前記エッジ検出手段の検出結果と、前記記録信号とに基づいて、前記記録用レーザービームの光量を間欠的に立ち上げて前記光ディスクの反射率を局所的に変化させることにより、前記戻り光の受光結果が所定の基準レベルを横切るタイミングを変化させるレーザービーム照射手段と
を備えることを特徴とする光ディスク装置。
【請求項２】
前記レーザービーム照射手段は、
前記記録用レーザービームが前記ピット又はマークを横切るタイミングで前記記録用レーザービームの光量を間欠的に立ち上げる
ことを特徴とする請求項１に記載の光ディスク装置。
【請求項３】
前記変調手段は、
所定の２進数系列を発生する２進数系列生成手段と、
前記２進数系列と、前記追加のデータとを演算処理して前記記録信号を生成する演算処理手段とを有する
ことを特徴とする請求項１に記載の光ディスク装置。
【請求項４】
前記２進数系列は、
Ｍ系列の乱数である
ことを特徴とする請求項３に記載の光ディスク装置。
【請求項５】
前記演算処理は、
前記２進数系列と、前記追加のデータとの排他的論理和を計算する処理である
ことを特徴とする請求項３に記載の光ディスク装置。
【請求項６】
前記変調手段は、
前記追加のデータの１ビットに少なくとも前記ピット又はマークの１０個のエッジが対応するように、前記記録信号を生成する
ことを特徴とする請求項１に記載の光ディスク装置。
【請求項７】
ピット列又はマーク列により所望のデータが記録されてなる光ディスクに追加のデータを記録する光ディスクの記録方法であって、
前記光ディスクに照射した再生用レーザービームの戻り光を受光して、前記戻り光の受光結果を出力する戻り光受光処理と、
前記戻り光の受光結果より、前記光ディスクに照射する記録用レーザービームがピット又はマークのエッジを横切るタイミングを検出するエッジ検出処理と、
前記追加のデータを変調して記録信号を生成する変調処理と、
前記エッジ検出処理の検出結果と、前記記録信号とに基づいて、前記記録用レーザービームの光量を間欠的に立ち上げて前記光ディスクの反射率を局所的に変化させることにより、前記戻り光の受光結果が所定の基準レベルを横切るタイミングを変化させるレーザービーム照射処理と
を有することを特徴とする光ディスクの記録方法。
【請求項８】
前記レーザービーム照射処理は、
前記記録用レーザービームが前記ピット又はマークを横切るタイミングで前記記録用レーザービームの光量を間欠的に立ち上げる
ことを特徴とする請求項７に記載の光ディスクの記録方法。
【請求項９】
前記変調処理は、
所定の２進数系列を発生する２進数系列生成処理と、
前記２進数系列と、前記追加のデータとを演算処理して前記記録信号を生成する演算処理とである
ことを特徴とする請求項７に記載の光ディスクの記録方法。
【請求項１０】
前記２進数系列は、
Ｍ系列の乱数である
ことを特徴とする請求項９に記載の光ディスクの記録方法。
【請求項１１】
前記演算処理は、
前記２進数系列と、前記追加のデータとの排他的論理和を計算する処理である
ことを特徴とする請求項９に記載の光ディスクの記録方法。
【請求項１２】
前記変調処理は、
前記追加のデータの１ビットに少なくとも前記ピット又はマークの１０個のエッジが対応するように、前記記録信号を生成する
ことを特徴とする請求項７に記載の光ディスクの記録方法。
【請求項１３】
ピット列又はマーク列により所望のデータが記録されてなる光ディスクにおいて、
前記ピット又はマークをレーザービームが走査して得られる戻り光の受光結果にジッタを与えるように、反射率が局所的に変化し、
該局所的な反射率の変化により所望の追加のデータが記録された
ことを特徴とする光ディスク。
【請求項１４】
前記追加のデータの１ビットが少なくとも前記ピット又はマークの１０個のエッジに割り当てられて記録された
ことを特徴とする請求項１３に記載の光ディスク。
【請求項１５】
前記追加のデータと所定の２進数系列との演算処理結果に対応して、前記ピット又はマークの前後所定範囲で前記反射率が局所的に変化してなる
ことを特徴とする請求項１３に記載の光ディスク。
【請求項１６】
前記ピット列又はマーク列によるデータは、暗号化されたデータであり、
前記追加のデータは、前記暗号化されたデータの暗号化を解除するのに必要なデータである
ことを特徴とする請求項１３に記載の光ディスク。
【請求項１７】
光ディスクに光ビームを照射して得られる戻り光を検出し、前記戻り光に応じて信号レベルが変化する再生信号を信号処理することにより、前記光ディスクに記録されたデータ列を再生する光ディスク装置において、
前記光ディスクは、
ピット列又はマーク列により所望のデータが記録され、
前記ピット列又はマーク列をレーザービームが走査して得られる戻り光の受光結果にジッタを与えるように、反射率が局所的に変化し、
該局所的な反射率の変化により所望の追加のデータが記録され、
前記光ディスク装置は、
前記再生信号に基づいてクロック信号を再生するクロック再生手段と、
前記クロック信号を基準にして前記再生信号を２値識別することにより、主のデータ列を再生する第１の再生手段と、
前記クロック信号を基準にして前記再生信号を信号処理して前記追加のデータ列を再生する第２の再生手段とを備え、
前記第２の再生手段は、
前記再生信号の信号レベルを検出して信号レベル検出結果を出力する信号レベル検出手段と、
前記信号レベル検出結果の平均値を検出して出力する平均値化手段と、
前記信号レベル検出結果の平均値を識別して前記追加のデータ列を再生する第２の識別手段とを有する
ことを特徴とする光ディスク装置。
【請求項１８】
前記平均値化手段は、
前記信号レベル検出結果を積算して積算値を出力する積算手段と、
前記積算手段により積算をカウントしてカウント値を出力する係数手段と、
前記積算値を前記カウント値により除算して前記平均値を出力する除算手段とを有する
ことを特徴とする請求項１７に記載の光ディスク装置。
【請求項１９】
前記信号レベル検出手段又は前記平均値化手段は、
前記光ディスクのピット又はマークのタイミングで、前記信号レベル検出結果を選択的に平均値化する
ことを特徴とする請求項１７に記載の光ディスク装置。
【請求項２０】
前記信号レベル検出手段又は前記平均値化手段は、
乱数により前記再生信号を選択的に処理して、前記追加のデータ列を再生する
ことを特徴とする請求項１７に記載の光ディスク装置。
【請求項２１】
前記追加のデータ列に基づいて前記主のデータ列の再生を停止制御する
ことを特徴とする請求項１７に記載の光ディスク装置。
【請求項２２】
前記追加のデータ列に基づいて前記主のデータ列の暗号化を解除する
ことを特徴とする請求項１７に記載の光ディスク装置。